(57)【要約】【課題】回収品の投入の容易性を損なうことなく、不正な抜き取りを防止できる回収箱を提供する。【解決手段】本体ケース１と胴枠２とから成り、本体ケース１は、天壁１７に投入口１７ａを有し、胴枠２は、天壁１７の下方で一方向へ向けて低くなるように傾斜する内天板２７を備え、内天板２７に、投入口１７ａの直下から傾斜の低位側へずれた位置で開口する落下口２７ａを有する構成とする。投入口１７ａから回収品が投入されると、回収品は内天板２７の上面に沿って低位側へ滑り落ち、落下口２７ａから胴枠２の内部に落下して貯留される。投入口１７ａから手を入れても、落下口２７ａに手が入らず、胴枠２の内部の回収品を抜き取ることができない。また、投入口１７ａから胴枠２の内部の回収品が見えないため、目隠効果により、心理的にも盗難が防止される。【選択図】図１
0003217640.tif 000002
【実用新案登録請求の範囲】
【請求項１】
本体ケース(1)と、その内部に装入される胴枠(2)とから成り、前記本体ケース(1)は、天壁(17)に投入口(17a)を有し、前記胴枠(2)は、前記天壁(17)の下方で一方向へ向けて低くなるように傾斜する内天板(27)を備え、前記内天板(27)に、前記投入口(17a)の直下から傾斜の低位側へずれた位置で開口する落下口(27a)を有する抜取防止回収箱。
【請求項２】
前記胴枠(2)には、前記落下口(27a)に臨んで、前記内天板(27)の投入口(17a)寄りに位置する高位側の端辺から弾力的に揺動する遮蔽片(27b)が延出されていることを特徴とする請求項１に記載の抜取防止回収箱。
【請求項３】
前記胴枠(2)には、前記落下口(27a)に臨んで、前記内天板(27)の低位側の端辺から起立するように突出片(23a)が設けられていることを特徴とする請求項１又は２に記載の抜取防止回収箱。
【請求項４】
前記本体ケース(1)及び前記胴枠(2)には、連通する錠挿通穴(1a,2a)が穿設され、前記本体ケース(1)及び前記胴枠(2)の材料である段ボールの段目が、前記錠挿通穴(1a,2a)の周縁に臨む部分で交差方向へ向いていることを特徴とする請求項１乃至３のいずれかに記載の抜取防止回収箱。
【請求項５】
前記本体ケース(1)には、前記天壁(17)の後方に立ち上がる背板(18)が設けられ、前記背板(18)を前方へ折り曲げて前記天壁(17)に重ねると、前記投入口(17a)が覆われることを特徴とする請求項１乃至４のいずれかに記載の抜取防止回収箱。
【考案の詳細な説明】
【技術分野】
【０００１】
この考案は、不要となった携帯電話機等の小型家電や使用済のプリンタ用インクカートリッジ、充電式電池、乾電池等の回収箱であって、抜取防止機能を備えたものに関する。
【背景技術】
【０００２】
鉱物資源の乏しい我が国にとって、有用な金属類を含む小型家電製品、インクカートリッジ、充電式電池、乾電池等を資源として確実に回収し、再資源化することは非常に重要であるが、回収方法の確立やセキュリティー等の問題から、回収率が伸び悩んでいるのが現状である。
【０００３】
そのため、日常的に多数の人が利用する公共施設やショッピングモール、家電量販店等に回収箱が設置され、回収率の向上が図られており、このような回収箱として、下記特許文献１，２に記載されたような公知のものの利用が考えられる。
【０００４】
例えば、下記特許文献１に記載された回収箱は、図７に示すように、箱本体５１の内部に樹脂シート５２が張設され、前面上部の傾斜壁５３に投入口５４を有し、天壁５５の前端に揺動可能に蓋板５６が連設され、設置状態では、天壁５５の配送用伝票５７が後上方へ折り返した蓋板５６で覆われ、輸送時には、投入口５４が前下方へ折り曲げた蓋体５６により覆われると共に、伝票５７が露出するものである。
【０００５】
また、下記特許文献２に記載された回収箱は、図８に示すように、外箱６１とその内部に装入される内箱６２とから成り、内箱６２の天面に投入口６３を有し、設置状態では、外箱６１の一端の蓋フラップ６４が開かれて投入口６３が露出すると共に、外箱６１の天フラップ６５が閉じられて内箱６２の抜け出しが防止され、輸送時には、蓋フラップ６４が閉じられて投入口６３が覆われるものである。
【先行技術文献】
【特許文献】
【０００６】
【特許文献１】特開２００６−１６８９７１号公報
【特許文献２】特開２００８−３７４７０号公報
【考案の概要】
【考案が解決しようとする課題】
【０００７】
しかしながら、上記特許文献１，２に記載されたような回収箱では、投入口に設置状態でのセキュリティー対策が施されていないため、リサイクル資源として相当な経済価値を有する回収品が箱内から不正に抜き取られる盗難の恐れがある。
【０００８】
また、盗難防止を目的として、投入口に回収品の投入時にのみ開く蓋やフラップを取り付けると、回収品の投入が難しくなる。
【０００９】
そこで、この考案は、回収品の投入の容易性を損なうことなく、不正な抜き取りを防止できる回収箱を提供することを課題とする。
【課題を解決するための手段】
【００１０】
上記課題を解決するため、この考案に係る回収箱は、本体ケースと、その内部に装入される胴枠とから成り、前記本体ケースは、天壁に投入口を有し、前記胴枠は、前記天壁の下方で一方向へ向けて低くなるように傾斜する内天板を備え、前記内天板に、前記投入口の直下から傾斜の低位側へずれた位置で開口する落下口を有するものとしたのである。
【００１１】
また、前記胴枠には、前記落下口に臨んで、前記内天板の投入口寄りに位置する高位側の端辺から弾力的に揺動する遮蔽片が延出されているものとしたのである。
【００１２】
また、前記胴枠には、前記落下口に臨んで、前記内天板の低位側の端辺から起立するように突出片が設けられているものとしたのである。
【００１３】
さらに、前記本体ケース及び前記胴枠には、連通する錠挿通穴が穿設され、前記本体ケース及び前記胴枠の材料である段ボールの段目が、前記錠挿通穴の周縁に臨む部分で交差方向へ向いているものとしたのである。
【００１４】
また、前記本体ケースには、前記天壁の後方に立ち上がる背板が設けられ、前記背板を前方へ折り曲げて前記天壁に重ねると、前記投入口が覆われるものとしたのである。
【考案の効果】
【００１５】
この考案に係る回収箱では、投入口が常時開口しているので、回収品の投入に際し、蓋を開けたり、フラップを押し下げたりする必要がなく、回収品を簡単に投入できる。そして、投入口から投入された回収品は、内天板が傾斜しているため、内天板の上面に沿って低位側へ滑り落ち、落下口から胴枠内に落下して貯留される。
【００１６】
また、投入口と落下口とは位置がずれているため、投入口から手を入れても、落下口に手が入らず、胴枠の内部の回収品を抜き取ることができない。さらに、投入口から胴枠の内部の回収品が見えないため、目隠効果により、心理的にも盗難が防止される。
【００１７】
また、落下口の高位側の端辺に遮蔽片を設けたことにより、落下口からの回収品の落下を阻害することなく、目隠効果が確実に得られ、落下口の低位側の端辺に突出片を設けたことにより、内天板の上面に沿って滑り落ちてきた回収品が突出片に当接してスムーズに落下口から胴枠の内部へ落下し、回収品の胴枠からの逸脱が防止される。さらに、チェーン錠等を挿通する錠挿通穴の周縁に臨む部分で段目が交差して補強されているので、回収箱ごと持ち去る盗難が防止される。
【００１８】
そして、回収終了後には、背板を前方へ折り曲げて投入口を覆った状態で固定することにより、別途シート材等で包装することなく、宅配便で再資源化処理を行う事業所へ輸送することができる。
【図面の簡単な説明】
【００１９】
【図１】この考案の実施形態に係る回収箱の設置状態を前方から示す斜視図
【図２】同上の設置状態を後方から示す斜視図
【図３】同上の回収品の投入状態を示す縦断側面図
【図４】同上の輸送時の状態を示す斜視図
【図５】同上の組立過程における本体ケースと胴枠の分離状態を示す斜視図
【図６】同上の本体ケースと胴枠のブランクを示す裏面図
【図７】特許文献１に記載の回収箱を示す斜視図
【図８】特許文献２に記載の回収箱を示す斜視図
【考案を実施するための形態】
【００２０】
以下、この考案の実施形態を添付図面に基づいて説明する。
【００２１】
この抜取防止回収箱は、図１乃至図３に示す形態に組み立てて、公共施設等のリサイクル拠点に設置されるものであり、図５に示すように、本体ケース１とその内部に装入される胴枠２とから構成される。本体ケース１及び胴枠２は、図６に示す段ボールのブランクから組み立てられる。
【００２２】
本体ケース１のブランクでは、段ボールの中芯の段目が縦方向へ向き、前壁１１の一側に一方の側壁１２、後壁１３及び継代片１４が順次連設され、前壁１１の他側に他方の側壁１２が連設されている。前壁１１、一対の側壁１２及び後壁１３の下端には、いわゆる地獄底を形成する底板１５ａ，１５ｂ，１５ｃがそれぞれ連設されている。
【００２３】
一対の側壁１２の上端には天受板１６が連設され、前壁１１の上端には天壁１７が連設され、後壁１３の上端には背板１８が連設されている。
【００２４】
天壁１７には、中央部に投入口１７ａが設けられ、先端に差込片１７ｂが突設され、差込片１７ｂの基部にスリット状の差込穴１７ｃが設けられている。天受板１６の端縁は、組立時に投入口１７ａ及び差込片１７ｂを回避するため、切り欠かれている。
【００２５】
背板１８と後壁１３の境界をなす罫線１８ａは、段ボールを裏面から浅く押し潰した弱罫線とされ、背板１８の延出方向中間部には、段ボールを通常どおり裏面から押し潰した横方向に延びる２本の罫線１８ｂが平行に入れられている。背板１８の先端縁から少し間隔をあけて横方向に延びる罫線１８ｃは、段ボールを表面から押し潰した逆罫線とされ、背板１８の先端中央部は、罫線１８ｃまで切り欠かれている。
【００２６】
後壁１３の上端中央部には、背板１８へかけて切り込むことにより、差込片１９が形成され、差込片１９には、中間部に横方向の罫線が入れられている。
【００２７】
一対の側壁１２の後方下部となる部分及び後壁１３の両側下部となる部分には、チェーン錠やワイヤー錠が挿通される錠挿通穴１ａが穿設されている。
【００２８】
このような本体ケース１のブランクは、製造工程において、後壁１３と一方の側壁１２の境界の罫線及び前壁１１と他方の側壁１２の境界の罫線に沿って折り重ね、継代片１４を反対側の側壁１２の外端縁に臨む部分に貼り着けて、偏平な折畳状態にしておく。
【００２９】
胴枠２のブランクでは、段ボールの中芯の段目が横方向へ向き、内前板２１の一側に一方の内側板２２、内後板２３、他方の内側板２２が順次連設され、内前板２１の他側に継代片２４が連設されている。内前板２１の下端には、内底板２５及び折曲片２５ａが順次連設され、内前板２１の上端には、受止片２６が連設されている。
【００３０】
内後板２３の上端両側部は、内前板２１の上端よりも低くなっており、その低位部から内天板２７が延出されている。内天板２７の内後板２３寄りの幅方向中間部には、落下口２７ａが設けられている。
【００３１】
落下口２７ａに臨んで、内天板２７には、内後板２３の反対側へ離れた端辺に、弾力的な揺動軸となる罫線を介して遮蔽片２７ｂが延出されている。また、落下口２７ａに臨んで、内後板２３の上端から突出片２３ａが突設されている。
【００３２】
内底板２５の先端部には、折曲片２５ａへの切込により僅かに突出した係合凸部２５ｂが設けられ、内後板２３の下端中央部には、組立時に係合凸部２５ｂと噛み合う係合凹部２３ｂが設けられている。
【００３３】
一対の内側板２２の後方下部となる部分及び内後板２３の両側下部となる部分には、本体ケース１の錠挿通穴１ａに組立状態で連通するように、チェーン錠やワイヤー錠が挿通される錠挿通穴２ａが穿設されている。錠挿通穴２ａは、本体ケース１の錠挿通穴１ａよりも直径が少し大きくなっている。
【００３４】
このような胴枠２のブランクは、製造工程において、内前板２１と一方の内側板２２の境界の罫線及び内後板２３と他方の内側板２２の境界の罫線に沿って折り重ね、継代片２４を反対側の内側板２２の端部裏面に貼り着けて、偏平な折畳状態にしておく。
【００３５】
上記本体ケース１と胴枠２のブランクから抜取防止回収箱を組み立てるには、図５に示すように、本体ケース１の前壁１１、一対の側壁１２及び後壁１３が角筒状をなすように立体化し、底板１５ａ，１５ｂ，１５ｃを内側へ折り曲げ、これらを噛み合わせて底面を閉止し、背板１８を罫線１８ｂに沿って前側へ折り重ねる。
【００３６】
また、胴枠２の内前板２１、一対の内側板２２及び内後板２３が角筒状をなすように立体化し、内底板２５を水平方向へ折り曲げて底面を閉止し、折曲片２５ａを上方へ折り曲げて内後板２３の裏面に重ねた状態とする。このとき、係合凸部２５ｂと係合凹部２３ｂとが係合し、保形性が高められる。
【００３７】
そして、図１乃至図３に示すように、本体ケース１に胴枠２を挿入する。このとき、前壁１１の裏面に内前板２１が重なり、一対の側壁１２の裏面に一対の内側板２２がそれぞれ重なり、後壁１３の裏面に内後板２３が重なるようにする。
【００３８】
次に、受止片２６を後方へ折り曲げ、内天板２７を前方へ折り曲げて受止片２６の上面に重ねると、内天板２７が前方から後方へかけて低くなるように傾斜し、突出片２３ａが落下口２７ａに臨んで内天板２７の低位側の端辺から起立した状態となる。
【００３９】
その後、一対の天受板１６を内側へ折り曲げ、天壁１７を後方へ折り曲げると共に、差込片１７ｂを下方へ折り曲げて箱内に差し込み、差込片１９を鉤状に折り曲げて、その先端部を差込穴１７ｃに差し込むと、天壁１７が閉止状態に固定される。
【００４０】
この状態において、落下口２７ａは、投入口１７ａの直下から内天板２７の傾斜の低位側へずれた位置で開口し、遮蔽片２７ｂは、落下口２７ａの投入口１７ａ寄りに位置する内天板２７の高位側の端辺が揺動軸となる。また、背板１８の前側下部は、天受板１６の下方へ達し、罫線１８ａ，１８ｃが天壁１７の上面の高さに位置することとなる。
【００４１】
上記回収箱では、投入口１７ａが常時開口しているので、図３に示すように、回収品Ｒの投入に際し、蓋を開けたり、フラップを押し下げたりする必要がなく、回収品Ｒを簡単に投入できる。そして、投入口１７ａから投入された回収品Ｒは、内天板２７が傾斜しているため、内天板２７の上面に沿って低位側へ滑り落ち、落下口２７ａから胴枠２の内部に落下して貯留される。
【００４２】
また、投入口１７ａと落下口２７ａとは位置がずれているため、投入口１７ａから手を入れても、落下口２７ａに手が入らず、胴枠２の内部の回収品Ｒを抜き取ることができない。また、投入口１７ａから胴枠２の内部の回収品Ｒが見えないため、目隠効果により、心理的にも盗難が防止される。
【００４３】
また、投入口１７ａから投入された回収品Ｒは、自重で遮蔽片２７ｂを押し下げつつ、落下口２７ａから落下するので、落下口２７ａからの回収品Ｒの落下が阻害されることがなく、回収品Ｒの落下後、遮蔽片２７ｂが弾力で復帰するので、外部からの視線が遮蔽片２７ｂで遮られ、目隠効果が確実に得られる。
【００４４】
さらに、内天板２７の上面に沿って滑り落ちてきた回収品Ｒが勢いよく低位端に達しても、突出片２３ａに当接してスムーズに落下口２７ａから胴枠２の内部へ落下するので、落下口２７ａの端縁に引っ掛かることがない。
【００４５】
また、本体ケース１と胴枠２の段目が錠挿通穴１ａ，２ａの周縁で交差方向へ向いているので、錠挿通穴１ａ，２ａにチェーン錠やワイヤー錠を挿通して回収箱を建物等に連結した状態で、回収箱がいずれの方向に引っ張られても、錠挿通穴１ａ，２ａの周縁が破れにくく、回収箱ごと持ち去る盗難が防止される。
【００４６】
そのほか、背板１８の基部の罫線１８ａが比較的折れ曲がりにくい弱罫線とされているので、設置状態において、背板１８は、罫線１８ａ，１８ｃに沿って折れ曲がることがなく、天壁１７の後上方に立ち上がった状態に保持される。このため、背板１８の前方へ向く面に回収品の投入に伴う注意事項を印刷しておくと、回収品の持参者がその注意事項をしっかりと認識することができる。
【００４７】
そして、回収終了後には、図４に示すように、背板１８を前方へ折り曲げると、投入口１７ａが背板１８により覆われるので、この状態で背板１８をテープＴ等により固定すると、別途シート材等で包装することなく、宅配便で再資源化処理を行う事業所へ輸送することができる。このとき、背板１８は、罫線１８ｃが逆罫線とされ、後方よりも前方へ折れ曲がりやすくなっているので、折曲方向を間違えることがない。
【００４８】
なお、上記実施形態では、胴枠２に内底板２５を備えたものを例示したが、本体ケース１の底面が底抜けしない構造である場合には、内底板２５を省略してもよい。
【００４９】
また、胴枠２のブランクにおいて、継代片２４を反対側の内側板２２に貼り着ける場合を例示したが、このような貼着加工を行わなくても、胴枠２は、本体ケース１に装入することにより、本体ケース１の内面に当接して保形される。
【符号の説明】
【００５０】
１  本体ケース
２  胴枠
１ａ，２ａ  錠挿通穴
１１  前壁
１２  側壁
１３  後壁
１４  継代片
１５ａ，１５ｂ，１５ｃ  底板
１６  天受板
１７  天壁
１７ａ  投入口
１７ｂ  差込片
１７ｃ  差込穴
１８  背板
１８ａ，１８ｂ，１８ｃ  罫線
１９  差込片
２１  内前板
２２  内側板
２３  内後板
２３ａ  突出片
２３ｂ  係合凹部
２４  継代片
２５  内底板
２５ａ  折曲片
２５ｂ  係合凸部
２６  受止片
２７  内天板
２７ａ  落下口
２７ｂ  遮蔽片
Ｒ  回収品
Ｔ  テープ
【図１】
0003217640.tif 000003
【図２】
0003217640.tif 000004
【図３】
0003217640.tif 000005
【図４】
0003217640.tif 000006
【図５】
0003217640.tif 000007
【図６】
0003217640.tif 000008
【図７】
0003217640.tif 000009
【図８】
0003217640.tif 000010